(57)【要約】【課題】記録媒体に印刷された画像の画像データを改めて必要とする場合に、画像データを容易に取得することができる多機能周辺装置および画像データ取得方法を提供すること。【解決手段】多機能周辺装置１によれば、ユーザは、原稿を用意し、その原稿に印刷されているＱＲコードをスキャナ３によって読み取るだけで、原稿に印刷された画像の画像データを取得することができる。よって、原稿に印刷された画像の画像データを改めて必要とする場合に、従来のように、ＬＣＤ４１に表示された画像を確認しつつ、メモリカードに記憶されている複数の画像データの中から所望の画像データを探し出すといった手間のかかる作業を行う必要がないので、画像データを容易に取得することができる。【選択図】図７
2008166919.tif 000002
【特許請求の範囲】
【請求項１】
外部記憶手段から画像データを受信する画像データ受信手段と、
その画像データ受信手段により受信された画像データに基づく画像を記録媒体に印刷する画像印刷手段と、
前記画像データに対応付けられた識別情報を取得する識別情報取得手段と、
その識別情報取得手段により取得された識別情報を前記記録媒体に記録する識別情報記録手段と、
その識別情報記録手段により前記記録媒体に記録された識別情報を読み取る識別情報読取手段と、
その識別情報読取手段により読み取られた識別情報に対応する画像データを前記外部記憶手段から取得する画像データ取得手段とを備えていることを特徴とする多機能周辺装置。
【請求項２】
前記画像データ取得手段により取得された画像データに基づく画像を前記画像印刷手段により記録媒体に印刷する画像複写手段を備えていることを特徴とする請求項１記載の多機能周辺装置。
【請求項３】
前記識別情報記録手段は、前記画像複写手段により画像を記録媒体に印刷する場合に、記録媒体への前記識別情報の記録を省略することを特徴とする請求項２記載の多機能周辺装置。
【請求項４】
前記識別情報は、少なくとも前記画像データが格納されているファイルのファイル名を含むことを特徴とする請求項１から３のいずれかに記載の多機能周辺装置。
【請求項５】
前記識別情報は、少なくとも前記画像データを構成する各画素の画質補正値を含むことを特徴とする請求項１から４のいずれかに記載の多機能周辺装置。
【請求項６】
前記画像印刷手段により複数の画像を複数の記録媒体にそれぞれ印刷する場合に、前記識別情報取得手段は、前記複数の画像の画像データ毎にそれぞれ対応付けられた１の識別情報を取得すると共に、前記識別情報記録手段は、前記１の識別情報を前記複数の記録媒体のうちの１の記録媒体に記録することを特徴とする請求項１から５のいずれかに記載の多機能周辺装置。
【請求項７】
前記識別情報記録手段は、前記画像印刷手段により前記識別情報を記録媒体に印刷することを特徴とする請求項１から６のいずれかに記載の多機能周辺装置。
【請求項８】
前記画像印刷手段により記録媒体の表裏面に印刷可能な両面印刷手段を備え、
前記画像印刷手段は、前記両面印刷手段により記録媒体の表面に画像を印刷する一方、記録媒体の裏面に前記識別情報を印刷することを特徴とする請求項７記載の多機能周辺装置。
【請求項９】
記録媒体に埋め込まれたＩＤタグと無線通信可能な無線通信手段を備え、
前記識別情報記録手段は、前記無線通信手段により前記識別情報を記録媒体に埋め込まれたＩＤタグに記録すると共に、前記識別情報読取手段は、前記無線通信手段により前記識別情報を記録媒体に埋め込まれたＩＤタグから読み出すことを特徴とする請求項１から６のいずれかに記載の多機能周辺装置。
【請求項１０】
外部記憶手段から画像データを受信する画像データ受信手段と、その画像データ受信手段により受信された画像データに基づく画像を記録媒体に印刷する画像印刷手段と、前記画像データに対応付けられた識別情報を取得する識別情報取得手段と、その識別情報取得手段により取得された識別情報を前記記録媒体に記録する識別情報記録手段と、その識別情報記録手段により前記記録媒体に記録された識別情報を読み取る識別情報読取手段と、その識別情報読取手段により読み取られた識別情報に対応する画像データを前記外部記憶手段から取得する画像データ取得手段とを備えた多機能周辺装置において実行される画像データ取得方法であって、
前記画像データ受信手段により前記外部記憶手段から画像データを受信する画像データ受信工程と、
その画像データ受信工程により受信された画像データに基づく画像を前記画像印刷手段により記録媒体に印刷する画像印刷工程と、
前記識別情報取得手段により前記画像データに対応付けられた識別情報を取得する識別情報取得工程と、
その識別情報取得工程により取得された識別情報を前記識別情報記録手段により前記記録媒体に記録する識別情報記録工程と、
その識別情報記録工程により前記記録媒体に記録された識別情報を前記識別情報読取手段により読み取る識別情報読取工程と、
その識別情報読取工程により読み取られた識別情報に対応する画像データを前記画像データ取得手段により前記外部記憶手段から取得する画像データ取得工程とを備えていることを特徴とする画像データ取得方法。
【発明の詳細な説明】
【技術分野】
【０００１】
本発明は、多機能周辺装置および画像データ取得方法に関し、特に、記録媒体に印刷された画像の画像データを改めて必要とする場合に、画像データを容易に取得することができる多機能周辺装置および画像データ取得方法に関するものである。
【背景技術】
【０００２】
従来より、コンピュータを必要とせずに、メモリカードに記憶されている画像データを読み出し、その読み出した画像データに基づく画像を記録媒体に印刷する多機能周辺装置が知られている。
【０００３】
例えば、特許文献１には、多機能周辺装置の一例として、画像データに基づく画像を液晶ディスプレイに表示するダイレクトプリンタ装置が開示されている。このダイレクトプリンタ装置によれば、ユーザは、液晶ディスプレイに表示された画像を確認することで、メモリカードに記憶されている複数の画像データの中から所望の画像データを探し出して印刷することができる。
【特許文献１】特開２００４−３５８７２３号公報
【発明の開示】
【発明が解決しようとする課題】
【０００４】
しかしながら、特許文献１におけるダイレクトプリンタ装置では、記録媒体に印刷された画像の画像データを改めて必要とする場合、例えば、焼き増し印刷を行う場合に、ユーザは、上述した作業、即ち、液晶ディスプレイに表示された画像を確認しつつ、メモリカードに記憶されている複数の画像データの中から所望の画像データを探し出す作業を繰り返し行わなければならないので、手間がかかるという問題点があった。
【０００５】
本発明は、上述した問題点を解決するためになされたものであり、記録媒体に印刷された画像の画像データを改めて必要とする場合に、画像データを容易に取得することができる多機能周辺装置および画像データ取得方法を提供することを目的としている。
【課題を解決するための手段】
【０００６】
この目的を解決するために請求項１記載の多機能周辺装置は、外部記憶手段から画像データを受信する画像データ受信手段と、その画像データ受信手段により受信された画像データに基づく画像を記録媒体に印刷する画像印刷手段と、前記画像データに対応付けられた識別情報を取得する識別情報取得手段と、その識別情報取得手段により取得された識別情報を前記記録媒体に記録する識別情報記録手段と、その識別情報記録手段により前記記録媒体に記録された識別情報を読み取る識別情報読取手段と、その識別情報読取手段により読み取られた識別情報に対応する画像データを前記外部記憶手段から取得する画像データ取得手段とを備えている。
【０００７】
請求項２記載の多機能周辺装置は、請求項１記載の多機能周辺装置において、前記画像データ取得手段により取得された画像データに基づく画像を前記画像印刷手段により記録媒体に印刷する画像複写手段を備えている。
【０００８】
請求項３記載の多機能周辺装置は、請求項２記載の多機能周辺装置において、前記識別情報記録手段は、前記画像複写手段により画像を記録媒体に印刷する場合に、記録媒体への前記識別情報の記録を省略する。
【０００９】
請求項４記載の多機能周辺装置は、請求項１から３のいずれかに記載の多機能周辺装置において、前記識別情報は、少なくとも前記画像データが格納されているファイルのファイル名を含む。
【００１０】
請求項５記載の多機能周辺装置は、請求項１から４のいずれかに記載の多機能周辺装置において、前記識別情報は、少なくとも前記画像データを構成する各画素の画質補正値を含む。
【００１１】
請求項６記載の多機能周辺装置は、請求項１から５のいずれかに記載の多機能周辺装置において、前記画像印刷手段により複数の画像を複数の記録媒体にそれぞれ印刷する場合に、前記識別情報取得手段は、前記複数の画像の画像データ毎にそれぞれ対応付けられた１の識別情報を取得すると共に、前記識別情報記録手段は、前記１の識別情報を前記複数の記録媒体のうちの１の記録媒体に記録する。
【００１２】
請求項７記載の多機能周辺装置は、請求項１から６のいずれかに記載の多機能周辺装置において、前記識別情報記録手段は、前記画像印刷手段により前記識別情報を記録媒体に印刷する。
【００１３】
請求項８記載の多機能周辺装置は、請求項７記載の多機能周辺装置において、前記画像印刷手段により記録媒体の表裏面に印刷可能な両面印刷手段を備え、前記画像印刷手段は、前記両面印刷手段により記録媒体の表面に画像を印刷する一方、記録媒体の裏面に前記識別情報を印刷する。
【００１４】
請求項９記載の多機能周辺装置は、請求項１から６のいずれかに記載の多機能周辺装置において、記録媒体に埋め込まれたＩＤタグと無線通信可能な無線通信手段を備え、前記識別情報記録手段は、前記無線通信手段により前記識別情報を記録媒体に埋め込まれたＩＤタグに記録すると共に、前記識別情報読取手段は、前記無線通信手段により前記識別情報を記録媒体に埋め込まれたＩＤタグから読み出す。
【００１５】
請求項１０記載の画像データ取得方法は、外部記憶手段から画像データを受信する画像データ受信手段と、その画像データ受信手段により受信された画像データに基づく画像を記録媒体に印刷する画像印刷手段と、前記画像データに対応付けられた識別情報を取得する識別情報取得手段と、その識別情報取得手段により取得された識別情報を前記記録媒体に記録する識別情報記録手段と、その識別情報記録手段により前記記録媒体に記録された識別情報を読み取る識別情報読取手段と、その識別情報読取手段により読み取られた識別情報に対応する画像データを前記外部記憶手段から取得する画像データ取得手段とを備えた多機能周辺装置において実行されるものであって、前記画像データ受信手段により前記外部記憶手段から画像データを受信する画像データ受信工程と、その画像データ受信工程により受信された画像データに基づく画像を前記画像印刷手段により記録媒体に印刷する画像印刷工程と、前記識別情報取得手段により前記画像データに対応付けられた識別情報を取得する識別情報取得工程と、その識別情報取得工程により取得された識別情報を前記識別情報記録手段により前記記録媒体に記録する識別情報記録工程と、その識別情報記録工程により前記記録媒体に記録された識別情報を前記識別情報読取手段により読み取る識別情報読取工程と、その識別情報読取工程により読み取られた識別情報に対応する画像データを前記画像データ取得手段により前記外部記憶手段から取得する画像データ取得工程とを備えている。
【発明の効果】
【００１６】
請求項１記載の多機能周辺装置によれば、画像データ受信手段によって外部記憶手段から画像データを受信し、その画像データ受信手段により受信した画像データに基づく画像を画像印刷手段によって記録媒体に印刷する。更に、かかる画像データに対応付けられた識別情報を識別情報取得手段によって取得し、その識別情報取得手段により取得した識別情報を識別情報記録手段によって記録媒体に記録する。
【００１７】
また、識別情報記録手段により記録媒体に記録された識別情報を識別情報読取手段によって読み取り、その識別情報読取手段により読み取った識別情報に対応する画像データを画像データ取得手段によって外部記憶手段から取得する。
【００１８】
従って、ユーザは、画像が印刷された記録媒体を用意し、その記録媒体に記録されている識別情報を本発明における多機能周辺装置によって読み取るだけで、かかる画像の画像データを取得することができる。
【００１９】
よって、記録媒体に印刷された画像の画像データを改めて必要とする場合に、従来のように、液晶ディスプレイに表示された画像を確認しつつ、メモリカードに記憶されている複数の画像データの中から所望の画像データを探し出すといった手間のかかる作業を行う必要がないので、画像データを容易に取得することができるという効果がある。
【００２０】
また、近年では、デジタルカメラの技術向上に伴い高品質の画像が得られることから、画像データのデータ量が増大し、その分、液晶ディスプレイへの画像の表示に時間がかかるところ、本発明における多機能周辺装置によれば、記録媒体に印刷された画像の画像データを改めて必要とする場合に、液晶ディスプレイに画像を表示する必要がないので、画像データを短時間で取得することができるという効果がある。
【００２１】
請求項２記載の多機能周辺装置によれば、請求項１記載の多機能周辺装置の奏する効果に加え、画像複写手段によって、画像データ取得手段により取得された画像データに基づく画像を画像印刷手段により記録媒体に印刷するので、ユーザは、画像が印刷された記録媒体を用意し、その記録媒体に記録されている識別情報を本発明における多機能周辺装置によって読み取るだけで、かかる画像と同じ画像を印刷することができる。
【００２２】
よって、焼き増し印刷を行う場合に、従来のような手間のかかる作業を行う必要がないので、焼き増し印刷を容易に行うことができるという効果がある。
【００２３】
また、記録媒体に印刷された画像をコピーして焼き増し印刷を行う場合には、画像を読み取る際に生じる読み取り誤差などにより、明度や色度などの画質が原稿の画像とは異なって焼き増し印刷が行われるところ、本発明における多機能周辺装置によれば、記録媒体に印刷された画像の画像データを取得し、その取得した画像データに基づく画像を印刷して焼き増し印刷を行うので、原稿の画像と同じ画質の画像を入手することができるという効果がある。
【００２４】
請求項３記載の多機能周辺装置によれば、請求項２記載の多機能周辺装置の奏する効果に加え、識別情報記録手段は、画像複写手段により画像を記録媒体に印刷する場合に、記録媒体への識別情報の記録を省略するので、画像複写手段によって画像が印刷された記録媒体には識別情報が記録されず、識別情報の記録に要するコストの低減を図ることができるという効果がある。
【００２５】
請求項４記載の多機能周辺装置によれば、請求項１から３のいずれかに記載の多機能周辺装置の奏する効果に加え、識別情報は、少なくとも画像データのファイル名の特定の文字を含む。よって、画像データ取得手段は、特定の文字を少なくとも一部に含むファイル名の画像データを一度に取得することができる。従って、ユーザは、特定の文字を含むファイル名の画像データを改めて必要とする場合に、かかる画像データを容易に取得することができるという効果がある。
【００２６】
請求項５記載の多機能周辺装置によれば、請求項１から４のいずれかに記載の多機能周辺装置の奏する効果に加え、識別情報は、少なくとも画像データを構成する各画素の画質補正値を含むので、記録媒体に印刷された画像の画質が補正されている場合に、画質の補正値を取得することができる。よって、ユーザは、焼き増し印刷を行う場合に、画質を補正する作業を繰り返し行う必要がないので、原稿の画像と同じ画質の画像を容易に入手することができるという効果がある。
【００２７】
請求項６記載の多機能周辺装置によれば、請求項１から５のいずれかに記載の多機能周辺装置の奏する効果に加え、画像印刷手段により複数の画像を複数の記録媒体にそれぞれ印刷する場合に、識別情報取得手段は、複数の画像の画像データ毎にそれぞれ対応付けられた１の識別情報を取得すると共に、識別情報記録手段は、かかる１の識別情報を複数の記録媒体のうちの１の記録媒体に記録するので、複数の識別情報を取得し、それら複数の識別情報を複数の記録媒体にそれぞれ記録する場合と比較して、識別情報の記録に要するコストの低減を図ることができるという効果がある。
【００２８】
また、複数の画像の画像データ毎にそれぞれ対応付けられた識別情報を１の識別情報として管理できるので、ユーザは、識別情報が記録された記録媒体を用意し、その識別情報を本発明における多機能周辺装置によって読み取るだけで、かかる複数の画像の画像データを一度に取得することができる。よって、複数の記録媒体にそれぞれ印刷された複数の画像の画像データを改めて必要とする場合に、複数の画像データを容易に取得することができるという効果がある。
【００２９】
請求項７記載の多機能周辺装置によれば、請求項１から６のいずれかに記載の多機能周辺装置の奏する効果に加え、識別情報記録手段は、画像印刷手段により識別情報を記録媒体に印刷するので、記録媒体に識別情報を記録するための新たな構成を不要とすることができ、装置自体の製造コストの低減を図ることができるという効果がある。
【００３０】
請求項８記載の多機能周辺装置によれば、請求項７記載の多機能周辺装置の奏する効果に加え、画像印刷手段は、両面印刷手段により記録媒体の表面に画像を印刷する一方、記録媒体の裏面に識別情報を印刷するので、記録媒体に印刷された画像上に識別情報が印刷されることなく、画像の品質低下を防止することができるという効果がある。
【００３１】
請求項９記載の多機能周辺装置によれば、請求項１から６のいずれかに記載の多機能周辺装置の奏する効果に加え、識別情報記録手段は、無線通信手段により識別情報を記録媒体に埋め込まれたＩＤタグに記録すると共に、識別情報読取手段は、無線通信手段により識別情報を記録媒体に埋め込まれたＩＤタグから読み出すので、例えば、識別情報を記録媒体に印刷する場合と比較して、識別情報の印刷不良や汚れ等により、識別情報が正常に読み取れなくなるといった読み取り不良を防止することができるという効果がある。
【００３２】
請求項１０記載の画像データ取得方法によれば、画像データ受信工程によって、画像データ受信手段により外部記憶手段から画像データを受信し、画像印刷工程によって、画像データ受信工程により受信された画像データに基づく画像を画像印刷手段により記録媒体に印刷する。更に、識別情報取得工程によって、識別情報取得手段により画像データに対応付けられた識別情報を取得し、識別情報記録工程によって、識別情報取得工程により取得された識別情報を識別情報記録手段により記録媒体に記録する。
【００３３】
また、識別情報読取工程によって、識別情報記録工程により記録媒体に記録された識別情報を識別情報読取手段により読み取り、画像データ取得工程によって、識別情報読取工程により読み取られた識別情報に対応する画像データを画像データ取得手段により外部記憶手段から取得する。
【００３４】
従って、ユーザは、画像が印刷された記録媒体を用意し、その記録媒体に記録されている識別情報を本発明における多機能周辺装置によって読み取るだけで、かかる画像の画像データを取得することができる。
【００３５】
よって、記録媒体に印刷された画像の画像データを改めて必要とする場合に、従来のように、液晶ディスプレイに表示された画像を確認しつつ、メモリカードに記憶されている複数の画像データの中から所望の画像の画像データを探し出すといった手間のかかる作業を行う必要がないので、画像データを容易に取得することができるという効果がある。
【発明を実施するための最良の形態】
【００３６】
以下、本発明の好ましい実施形態について、添付図面を参照して説明する。図１は、本発明の一実施形態における多機能周辺装置１の外観構成を示す斜視図である。多機能周辺装置１は、スキャナ機能、コピー機能、ファクシミリ機能などの各種機能を実現するＭＦＤ（Ｍｕｌｔｉ  Ｆｕｎｃｔｉｏｎ  Ｄｅｖｉｃｅ）であり、図１に示すように、プリンタ２と、そのプリンタ２の上部に設けられるスキャナ３と、そのスキャナ３の正面側に設けられる操作パネル４とを主に備えて構成されている。
【００３７】
この多機能周辺装置１は、コンピュータを必要とせずに、メモリカードやデジタルカメラ等に記憶されている画像データを読み出し、その読み出した画像データに基づく画像を記録用紙に印刷することができるように構成されている。なお、多機能周辺装置１が上述した各種機能の全てを備えている必要はない。
【００３８】
プリンタ２は、記録用紙に画像を印刷するものであり、メモリカード等から読み出した画像データやスキャナ３によって読み取った画像の画像データに基づいて、インク滴を選択的に吐出する方式、いわゆる、インクジェット方式を採用したインクジェットプリンタとして構成されている。なお、インクジェット方式は単なる一例であり、電子写真方式や熱転写方式などの方式を採用しても良い。
【００３９】
また、プリンタ２は、記録用紙の表裏両面に画像を印刷できるように構成されている。なお、プリンタ２の内部構成およびプリンタ２によって記録用紙の表裏両面に画像を印刷する方法については、後に図２を参照して説明する。
【００４０】
プリンタ２の正面側には開口５が開口形成されている。この開口５内には、給紙トレイ１４と排紙トレイ１５とが設けられている。給紙トレイ１４及び排紙トレイ１５は、上下二段に配置され、下段には給紙トレイ１４が、上段には排紙トレイ１５が、それぞれ設けられている。
【００４１】
スキャナ３は、画像が印刷された記録用紙（以下、「原稿」と称す）の画像を読み取るものであり、ＦＢＳ（Ｆｌａｔｂｅｄ  Ｓｃａｎｎｅｒ）として機能する原稿読取台６に対して、自動原稿搬送機構（以下、「ＡＤＦ」と称す）７を備えた原稿カバー８が、背面側の蝶番（図示せず）を介して開閉自在に取り付けられている。また、原稿読取台６の上面にはプラテンガラス（図示せず）が配設されており、原稿読取台６の内部には画像読取ユニット（図示せず）が内蔵されている。
【００４２】
このように構成されたスキャナ３をＦＢＳとして使用する場合は、原稿カバー８を開いてプラテンガラス上に原稿を載置し、その後、原稿カバー８を閉じて原稿を固定する。そして、読取開始指令が入力されると、画像読取ユニットがプラテンガラスの裏面に沿って走査される。これにより、原稿に印刷された画像の読み取りが行われる。
【００４３】
ＡＤＦ７は、原稿トレイ９から原稿排出トレイ１０へ原稿を搬送するものである。ＡＤＦ７による原稿の搬送過程において、原稿が原稿読取台６のプラテンガラス上を通過され、そのプラテンガラスの下方に待機する画像読取ユニットによって原稿に印刷された画像が読み取られる。このようなＡＤＦ７による画像の読み取りは、原稿カバー８が原稿読取台６に対して閉じられた状態で行われる。
【００４４】
なお、本発明においてＡＤＦ７は任意の構成であり、スキャナ３がＡＤＦ７を備えず、ＦＢＳとしてのみ画像の読み取りを行うものであっても良い。よって、ＡＤＦ７の詳細な説明については省略する。
【００４５】
操作パネル４は、プリンタ２やスキャナ３を操作するためのものであり、印刷モードを指示するボタン等の各種操作キー４０と液晶ディスプレイ（以下、「ＬＣＤ」と称す）４１とを主に備えている。ユーザは、操作パネル４を用いて、所望の指令を入力することができる。
【００４６】
多機能周辺装置１に所定の指令が入力されると、その入力された情報に基づいて、多機能周辺装置１の動作が制御部２０（図３参照）によって制御される。なお、多機能周辺装置１は、操作パネル４から入力された指令のほか、外部のコンピュータからプリンタドライバやスキャナドライバ等を介して送信される指令に基づいて動作するようにシステム構成されている。
【００４７】
プリンタ２の開口５の上側には、接続パネル７０が設けられている。この接続パネル７０には、その左端側にＵＳＢ端子７１が配設されている。ＵＳＢ端子７１は、デジタルカメラ等の外部機器をＵＳＢケーブルを用いて接続することで、その外部機器と多機能周辺装置１とを通信可能に接続するものである。
【００４８】
また、接続パネル７０の右端側にはスロット部７２が配設されている。スロット部７２は、メモリカード（カード型メモリ）が挿入されることで、そのメモリカードと多機能周辺装置１とを通信可能に接続するものであり、各種メモリカードを挿入可能な複数のカードスロットが設けられている。
【００４９】
次に、図２を参照して、プリンタ２の内部構成およびプリンタ２によって記録用紙の表裏両面に画像を印刷する方法について説明する。
【００５０】
図２は、プリンタ２の内部構成を模式的に示す模式図であり、図２（ａ）は、記録用紙の表面に画像を印刷する様子を、図２（ｂ）は、記録用紙を反転させる様子を、図２（ｃ）は、記録用紙の裏面に画像を印刷する様子を、それぞれ示す図である。
【００５１】
図２に示すように、プリンタ２は、記録用紙を搬送するための搬送ローラ１１と、その搬送ローラ１１によって搬送される記録用紙に画像を印刷するための印刷ヘッド１２と、記録用紙を反転させるための反転ローラ１３とを主に備えて構成されている。
【００５２】
このように構成されたプリンタ２によって記録用紙の表裏両面に画像を印刷する場合には、まず、図２（ａ）に示すように、搬送ローラ１１を矢印Ａ方向に回転することで、給紙トレイ１４に収容されている記録用紙を矢印Ｂ方向へ搬送する。この際、記録用紙の表面には、印刷ヘッド１２によって画像が印刷される。
【００５３】
次いで、図２（ｂ）に示すように、搬送ローラ１１を矢印Ｃ方向に回転することで、記録用紙を矢印Ｄ方向へ搬送すると共に、反転ローラ１３を矢印Ｅ方向に回転することで、記録用紙を反転ローラ１３の外周面に近設されたガイド１３ａに沿って反転させる。
【００５４】
その後、図２（ｃ）に示すように、搬送ローラ１１を再び矢印Ｆ方向に回転することで、記録用紙を矢印Ｇ方向へ搬送し、排紙トレイ１５に排出する。この際、記録用紙の裏面には、印刷ヘッド１２によって画像が印刷される。これにより、記録用紙の表裏両面に画像を印刷することができる。
【００５５】
次に、図３を参照して、多機能周辺装置１の動作を制御する制御部２０の電気的構成について説明する。図３は、制御部２０の電気的構成を示すブロック図である。
【００５６】
制御部２０は、多機能周辺装置１の動作を統括的に制御するマイクロコンピュータであり、図３に示すように、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３及びＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）２４を主に備えて構成され、バスライン２５を介してプリンタ２、スキャナ３、操作キー４０、ＬＣＤ４１、ネットワークインタフェイス（以下、「ネットワークＩ／Ｆ」と称す）３０、ＵＳＢ端子７１、スロット部７２、スピーカ７４、ネットワーク・コントロール・ユニット（以下、「ＮＣＵ」と称す）３１及びモデム３２が相互に接続されている。
【００５７】
ＡＳＩＣ２１は、ＲＯＭ２２に記憶されるプログラムに従って、バスライン２５に接続された各部を制御する演算装置であり、ＲＯＭ２２は、多機能周辺装置１で実行される各種の制御プログラムを記憶する不揮発性メモリである。
【００５８】
ＲＡＭ２３は各種のデータを記憶するための揮発性メモリであり、このＲＡＭ２３には、ＱＲコードメモリ２３ａ等の各種のメモリが設けられている。ＱＲコードメモリ２３ａは、プリンタ２によって記録用紙に印刷するＱＲコードのデータを記憶するメモリである。ＡＳＩＣ２１は、このＱＲコードメモリ２３ａの内容に基づいて、ＱＲコードを作成し、その作成したＱＲコードをプリンタ２によって記録用紙に印刷する。
【００５９】
ＥＥＰＲＯＭ２４は、電源投入状態において、各種のデータを記憶するための書換可能なメモリであると共に、電源遮断後においても、その内容を保持可能なメモリである。
【００６０】
プリンタ２は、上述したように、記録用紙に画像を印刷するものであり、プリンタ無線通信装置２ａを備えている。プリンタ無線通信装置２ａは、記録用紙に埋め込まれたＩＤタグと無線通信を行うためのものである。ＡＳＩＣ２１は、このプリンタ無線通信装置２ａによって、記録媒体に埋め込まれたＩＤタグに各種のデータを記録する。
【００６１】
スキャナ３は、上述したように、原稿に印刷された画像を読み取るものであり、スキャナ無線通信装置３ａを備えている。スキャナ無線通信装置３ａは、記録用紙に埋め込まれたＩＤタグと無線通信を行うためのものである。ＡＳＩＣ２１は、このスキャナ無線通信装置３ａによって、記録媒体に埋め込まれたＩＤタグから各種のデータを読み出す。
【００６２】
ＡＳＩＣ２６には、多機能周辺装置１に所望の指令を入力する操作キー４０を制御するパネルゲートアレイ（以下、「パネルＧＡ」と称す）２７が接続されている。パネルＧＡ２７は、操作キー４０の押下（入力）を検出して、所定のコード信号を出力するためのものである。このコード信号は、複数の操作キー４０に対応して割り当てられている。ＡＳＩＣ２１は、パネルＧＡ２７から所定のコード信号を受信すると、所定のキー処理テーブルに従って、実行すべき制御処理を行う。このキー処理テーブルは、コード信号と制御処理とを対応させてテーブル化したものであり、例えば、ＲＯＭ２２に記憶されている。
【００６３】
ＡＳＩＣ２６には、ＬＣＤ４１の表示内容を制御するＬＣＤコントローラ２８が接続されている。ＬＣＤコントローラ２８は、ＡＳＩＣ２１の指令に基づいて、メモリカード等から読み出した画像データやプリンタ２及びスキャナ３の動作に関する情報などをＬＣＤ４１に表示するためのものである。具体的には、ＡＳＩＣ２１が、ＬＣＤ４１に表示する画像の画像データを、ＲＡＭ２３に設けられた表示メモリ（図示せず）上に作成し、このデータをＬＣＤコントローラ２８に転送する。ＬＣＤコントローラ２８は、ＬＣＤ４１を制御して、転送されたデータをＬＣＤ４１に表示させる。
【００６４】
ネットワークＩ／Ｆ３０は、ネットワーク上に存在するコンピュータと接続するためのものである。ＡＳＩＣ２１は、このネットワークＩ／Ｆによって、ネットワーク上のコンピュータとデータの送受信を行う。
【００６５】
ＵＳＢ端子７１及びスロット部７２は、公知の構成であり、詳細な説明は省略する。また、ＡＳＩＣ２６には、アンプ７３が接続されている。アンプ７３は、そのアンプ７３に接続されたスピーカ７４を鳴動して、呼出音や拒否音、メッセージなどを出力するためのものである。
【００６６】
更に、ＡＳＩＣ２６には、ファクシミリ機能を実現するためのＮＣＵ３１及びモデム３２が接続されている。ＮＣＵ３１は電話網（図示しない）に対するダイヤル信号の送出や、電話網からの呼出信号の応答等の動作を行うたものものである。モデム３２は、ＮＣＵ３１を介して、画像データを変調及び復調し、相手ファクシミリ装置（図示せず）へ伝送すると共に、伝送制御用の各種手順信号を送受信するためのものである。
【００６７】
次に、図４を参照して、制御部２０で実行されるメイン処理について説明する。図４は、メイン処理を示すフローチャートである。図４に示すメイン処理は、多機能周辺装置１の電源が投入されている間、ＡＳＩＣ２１によって所定の時間間隔で繰り返し実行される処理である。
【００６８】
ＡＳＩＣ２１は、メイン処理に関し、まず、初期化処理（Ｓ１）を実行する。この初期化処理（Ｓ１）では、ＡＳＩＣ２１内部の各機能の初期化と、ＡＳＩＣ２１の外部に接続された各部の初期化を行う。
【００６９】
初期化処理（Ｓ１）の実行後は、スロット部７２にメモリカードが挿入されているか否かを判断する（Ｓ２）。Ｓ２の処理の結果、スロット部７２にメモリカードが挿入されていると判断される場合には（Ｓ２：Ｙｅｓ）、印刷モードが選択されたか否かを判断する（Ｓ３）。なお、印刷モードが選択されたか否かの判断は、操作パネル４に設けられた各種操作キー４０の中から、印刷モードを指示するボタンが押下されたか否か（或いは、押下されているか否か）に基づいて行う。
【００７０】
Ｓ３の処理の結果、印刷モードが選択されたと判断される場合には（Ｓ３：Ｙｅｓ）、印刷処理（Ｓ４）を実行し、その後、その他の処理（Ｓ７）を実行する。その他の処理（Ｓ７）の実行後は、Ｓ２の処理に回帰して、Ｓ２からＳ７までの処理を繰り返し実行する。
【００７１】
一方、Ｓ２の処理の結果、スロット部７２にメモリカードが挿入されていないと判断される場合（Ｓ２：Ｎｏ）、及び、Ｓ３の処理の結果、印刷モードが選択されていないと判断される場合には（Ｓ３：Ｎｏ）、複写モードが選択されたか否かを判断する（Ｓ５）。なお、複写モードが選択されたか否かの判断は、操作パネル４に設けられた各種操作キー４０の中から、複写モードを指示するボタンが押下されたか否か（或いは、押下されているか否か）に基づいて行う。
【００７２】
Ｓ５の処理の結果、複写モードが選択されたと判断される場合には（Ｓ５：Ｙｅｓ）、複写処理（Ｓ６）を実行し、その後、その他の処理（Ｓ７）を実行する。
【００７３】
一方、Ｓ５の処理の結果、複写モードが選択されていないと判断される場合には（Ｓ５：Ｎｏ）、複写処理（Ｓ６）をスキップして、その他の処理（Ｓ７）を実行する。その他の処理（Ｓ７）の実行後は、Ｓ２の処理に回帰して、Ｓ２からＳ７までの処理を繰り返し実行する。
【００７４】
次に、図５を参照して、制御部２０で実行される印刷処理（Ｓ４）について説明する。図５は、印刷処理（Ｓ４）を示すフローチャートである。なお、図５の説明においては、図８及び図９を適宜参照して説明する。
【００７５】
図８は、ＬＣＤ４１に表示される表示内容を説明するための説明図であり、図８（ａ）及び図８（ｂ）は、矢印カーソルＰがＬＣＤ４１に表示された状態を、図８（ｃ）は、複数の画質パラメータＶと、それら複数の画質パラメータＶの各パラメータ値とがＬＣＤ４１に表示された状態を、それぞれ示す図である。
【００７６】
また、図９は、記録用紙に印刷される印刷内容を説明するための説明図であり、図９（ａ）は、記録用紙の表面を、図９（ｂ）は、記録用紙の裏面を、それぞれ示す図である。
【００７７】
図５に示す印刷処理（Ｓ４）は、メモリカードに記憶されている画像データを読み出し、その読み出した画像データに基づく画像をプリンタ２によって記録用紙の表面に印刷すると共に、かかる画像データの識別情報をＱＲコードとして記録用紙の裏面に印刷するための処理である。なお、メモリカードは単なる一例であり、デジタルカメラや他の外部記憶装置であっても良い。
【００７８】
ＡＳＩＣ２１は、印刷処理（Ｓ４）に関し、まず、メモリカードに記憶されている各種データの中から画像データの１つを読み出し（Ｓ１１）、その読み出した画像データに基づく画像をＬＣＤ４１に表示する（Ｓ１２）。
【００７９】
そして、ＬＣＤ４１に画像を表示した画像データ以外の画像データがメモリカードに記憶されているか否かを判断する（Ｓ１３）。Ｓ１３の処理の結果、ＬＣＤ４１に画像を表示した画像データ以外の画像データがメモリカードに記憶されていると判断される場合には（Ｓ１３：Ｙｅｓ）、矢印カーソルＰ（図８参照）をＬＣＤ４１に表示し（Ｓ１４）、その後、記録用紙に印刷する画像が決定されたか否かを判断する（Ｓ１５）。なお、記録用紙に印刷する画像が決定されたか否かの判断は、操作パネル４に設けられた各種操作キー４０の中から、画像の決定を指示するボタンが押下されたか否か（或いは、押下されているか否か）に基づいて行う。
【００８０】
一方、Ｓ１３の処理の結果、ＬＣＤ４１に画像を表示した画像データ以外の画像データがメモリカードに記憶されていないと判断される場合には（Ｓ１３：Ｎｏ）、Ｓ１４の処理をスキップして、Ｓ１５の処理を実行する。
【００８１】
Ｓ１５の処理の結果、記録用紙に印刷する画像が決定されたと判断される場合には（Ｓ１５：Ｙｅｓ）、その画像の画像データが格納されたファイルのファイル名をＱＲコードメモリ２３ａに記憶し（Ｓ１６）、その後、画質補正処理（Ｓ１７）を実行する。
【００８２】
一方、Ｓ１５の処理の結果、記録用紙に印刷する画像が決定されていないと判断される場合には（Ｓ１５：Ｎｏ）、ユーザがＬＣＤ４１に表示されている画像とは異なる画像を印刷したい意向であると判断されるため、操作パネル４に設けられた各種操作キー４０の中から、画像の選択を指示するボタンがユーザによって押下される場合に備えて、Ｓ１１の処理に回帰する。
【００８３】
ここで、図６を参照して、画質補正処理（Ｓ１７）について説明する。図６は、画質補正処理（Ｓ１７）を示すフローチャートである。図６に示す画質補正処理（Ｓ１７）は、画像データの画質を補正するための処理である。
【００８４】
ＡＳＩＣ２１は、画質補正処理（Ｓ１７）に関し、まず、記録用紙への印刷が決定された画像データに関する複数の画質パラメータＶ（図８参照）と、それら複数の画質パラメータＶの各パラメータ値とをＬＣＤ４１に表示し（Ｓ３１）、その後、画質が補正されたか否かを判断する（Ｓ３２）。なお、画質が補正されたか否かの判断は、操作パネル４に設けられた各種操作キー４０の中から、かかるパラメータ値の変更を指示するボタンが押下されたか否か（或いは、押下されているか否か）に基づいて行う。
【００８５】
Ｓ３２の処理の結果、画質が補正されたと判断される場合には（Ｓ３２：Ｙｅｓ）、ＬＣＤ４１に表示されている画像の画像データに対して、変更されたパラメータ値に基づいて各画素の画質値を補正すると共に、その補正後の画像データに基づく画像をＬＣＤ４１に再表示し（Ｓ３３）、その後、画質が決定されたか否かを判断する（Ｓ３４）。なお、画質が決定されたか否かの判断は、操作パネル４に設けられた各種操作キー４０の中から、画質の決定を指示するボタンが押下されたか否か（或いは、押下されているか否か）に基づいて行う。
【００８６】
一方、Ｓ３２の処理の結果、画質が補正されていないと判断される場合には（Ｓ３２：Ｎｏ）、Ｓ３３の処理をスキップして、Ｓ３４の処理を実行する。
【００８７】
Ｓ３４の処理の結果、画質が決定されていないと判断される場合には（Ｓ３４：Ｎｏ）、ユーザが画像データの画質を変更したい意向であると判断されるため、操作パネル４に設けられた各種操作キー４０の中から、パラメータ値の変更を指示するボタンがユーザによって押下される場合に備えて、Ｓ３２の処理に回帰する。
【００８８】
一方、Ｓ３４の処理の結果、画質が決定されたと判断される場合には（Ｓ３４：Ｙｅｓ）、画質パラメータＶの各パラメータ値を、画像データが格納されたファイルのファイル名に対応付けてＱＲコードメモリ２３ａに記憶して（Ｓ３５）、この画質補正処理（Ｓ１７）を終了する。
【００８９】
図５に戻って説明する。画質補正処理（Ｓ１７）の実行後は、記録用紙への画像の記録が指示されたか否かを判断する（Ｓ１８）。なお、記録用紙への画像の印刷が指示されたか否かの判断は、操作パネル４に設けられた各種操作キー４０の中から、画像の印刷を指示するボタンが押下されたか否か（或いは、押下されているか否か）に基づいて行う。
【００９０】
Ｓ１８の処理の結果、記録用紙への画像の印刷が指示されていないと判断される場合には（Ｓ１８：Ｎｏ）、ユーザがＬＣＤ４１に表示されている画像とは異なる画像を印刷したい意向であると判断されるため、操作パネル４に設けられた各種操作キー４０の中から、画像の選択を指示するボタンがユーザによって押下される場合に備えて、Ｓ１１の処理に回帰する。
【００９１】
一方、Ｓ１８の処理の結果、記録用紙への画像の印刷が指示されたと判断される場合には（Ｓ１８：Ｙｅｓ）、ＱＲコードメモリ２３ａの内容に基づいてＱＲコードデータを作成する（Ｓ１９）。
【００９２】
その後、印刷が指示された画像の画像データをプリンタ２に送信し、記録用紙の表面に画像を印刷すると共に（Ｓ２０）、Ｓ１９の処理で作成したＱＲコードデータをプリンタ２に送信し、記録用紙の裏面の所定位置にＱＲコードを印刷して（Ｓ２１）、この印刷処理（Ｓ４）を終了する。
【００９３】
この印刷処理（Ｓ４）によれば、図８に示すように、メモリカードから読み出された画像データが画像としてＬＣＤ４１に表示される。これにより、メモリカードに記憶されている画像データをユーザに視覚的に確認させることができ、その結果、ユーザは、ＬＣＤ４１に表示された画像を確認することで、所望の画像を印刷することができる。
【００９４】
また、図８に示すように、ＬＣＤ４１に画像を表示した画像データ以外の画像データがメモリカードに記憶されている場合には、ＬＣＤ４１に矢印カーソルＰが表示される。これにより、メモリカードに複数の画像データが記憶されていることをユーザに認識させることができ、その結果、ユーザは、操作パネル４に設けられた各種操作キー４０の中から、画像の選択を指示するボタンを押下することで、メモリカードに記憶されている複数の画像データの中から所望の画像データを探し出すことができる。
【００９５】
具体的には、図８（ａ）に示すように、ＬＣＤ４１に矢印カーソルＰが表示されている場合には、その矢印カーソルＰに対応する方向のボタンをユーザが押下することで、図８（ｂ）に示すように、異なる画像がＬＣＤ４１に表示される。これにより、ユーザは、ＬＣＤ４１に表示された画像を確認しつつ、所望の画像データを探し出すことができる。
【００９６】
また、上述した印刷処理（Ｓ４）によれば、図８（ｃ）に示すように、記録用紙に印刷する画像が決定された場合には、その画像データに関する複数の画質パラメータＶと、それら複数の画質パラメータＶの各パラメータ値とがＬＣＤ４１に表示される。これにより、ユーザは、操作パネル４に設けられた各種操作キー４０の中から、かかるパラメータ値の変更を指示するボタンを押下することで、画像データの画質を補正することができる。
【００９７】
また、記録用紙への画像の印刷が指示された場合には、ＱＲコードメモリ２３ａの内容に基づいてＱＲコードデータが作成される。これにより、画像データのファイル名と、その画像データに関する複数の画質パラメータＶの各パラメータ値とを含むＱＲコードを識別情報として、かかる画像データに対応付けることができる。
【００９８】
更に、図９に示すように、記録用紙への画像の印刷が指示された場合には、画像がプリンタ２によって記録用紙の表面に印刷されると共に、その記録用紙の裏面の所定位置にＱＲコードが印刷される。これにより、記録用紙の表面に印刷された画像の識別情報を、その記録用紙の裏面に記録することができる。
【００９９】
なお、本実施形態では、図９（ｂ）に示すように、記録用紙の裏面の右下部であって、その記録用紙の下端から寸法ａの範囲、かつ、記録用紙の右端から寸法ｂの範囲内、即ち、斜線部Ｓで示す範囲内にＱＲコードを印刷する。なお、記録用紙の他の部分であっても良い。
【０１００】
次に、図７を参照して、制御部２０で実行される複写処理（Ｓ６）について説明する。図７は、複写処理（Ｓ６）を示すフローチャートである。図７に示す複写処理（Ｓ６）は、原稿に印刷された画像をスキャナ３によって読み取り、その原稿の所定位置においてＱＲコードを読み取った場合には、その読み取ったＱＲコードの情報に対応するファイル名のファイルに格納された画像データ（以下、「ＱＲコードの情報に基づく画像データ」と称す）をメモリカードから読み出し、その読み出した画像データに基づく画像をプリンタ２によって記録用紙に印刷するための処理である。なお、メモリカードは単なる一例であり、デジタルカメラや他の外部記憶装置であっても良い。
【０１０１】
ＡＳＩＣ２１は、複写処理に関し、まず、原稿の複写が指示されたか否かを判断する（Ｓ４１）。なお、原稿の複写が指示されたか否かの判断は、操作パネル４に設けられた各種操作キー４０の中から、原稿の複写を指示するボタンが押下されたか否か（或いは、押下されているか否か）に基づいて行う。
【０１０２】
Ｓ４１の処理の結果、原稿の複写が指示されたと判断される場合には（Ｓ４１：Ｙｅｓ）、スキャナ３によって原稿に印刷された画像を読み取り（Ｓ４２）、その後、原稿の所定位置においてＱＲコードを読み取ったか否かを判断する（Ｓ４３）。
【０１０３】
一方、原稿の複写が指示されていないと判断される場合には（Ｓ４１：Ｎｏ）、この複写処理（Ｓ６）を終了する。
【０１０４】
Ｓ４３の処理の結果、原稿の所定位置においてＱＲコードを読み取っていないと判断される場合には（Ｓ４３：Ｎｏ）、スキャナ３によって読み取った画像の画像データをプリンタ２に送信し、記録用紙に画像を所定枚数印刷して（Ｓ５０）、この複写処理（Ｓ６）を終了する。
【０１０５】
一方、Ｓ４３の処理の結果、原稿の所定位置においてＱＲコードを読み取ったと判断される場合には（Ｓ４３：Ｙｅｓ）、スロット部７２にメモリカードが挿入されているか否かを判断する（Ｓ４４）。
【０１０６】
Ｓ４４の処理の結果、スロット部７２にメモリカードが挿入されていると判断される場合には（Ｓ４４：Ｙｅｓ）、Ｓ４２の処理で読み取ったＱＲコードの情報に対応するファイル名のファイルがメモリカードに記憶されているか否かを判断する（Ｓ４５）。
【０１０７】
Ｓ４５の処理の結果、ＱＲコードの情報に対応するファイル名のファイルがメモリカードに記憶されていると判断される場合には（Ｓ４５：Ｙｅｓ）、ＱＲコードの情報に基づく画像データをメモリカードから読み出す（Ｓ４６）。
【０１０８】
一方、Ｓ４４の処理の結果、スロット部７２にメモリカードが挿入されていないと判断される場合（Ｓ４４：Ｎｏ）、及び、Ｓ４５の処理の結果、ＱＲコードの情報に対応するファイル名のファイルがメモリカードに記憶されていないと判断される場合には（Ｓ４５：Ｎｏ）、ＬＣＤ４１にエラーを表示して（Ｓ５１）、この複写処理（Ｓ６）を終了する。
【０１０９】
Ｓ４６の処理の実行後は、Ｓ４２の処理で読み取ったＱＲコードの情報に基づく画像データの画質が補正されているか否かを判断する（Ｓ４７）。なお、画像データの画質が補正されているか否かの判断は、ＱＲコードの情報に含まれている画質パラメータＶ（図８参照）の各パラメータ値が０であるか否かに基づいて行う。
【０１１０】
Ｓ４７の処理の結果、画像データの画質が補正されていると判断される場合には（Ｓ４７：Ｙｅｓ）、ＱＲコードの情報に基づく画像データに対して、ＱＲコードの情報に含まれている画質パラメータＶの各パラメータ値に基づいて各画素の画質値を補正すると共に（Ｓ４８）、その補正後の画像データをプリンタ２に送信し、記録用紙に画像を所定枚数印刷して（Ｓ４９）、この複写処理（Ｓ６）を終了する。
【０１１１】
一方、Ｓ４７の処理の結果、画像データの画質が補正されていないと判断される場合には（Ｓ４７：Ｎｏ）、Ｓ４８の処理をスキップし、Ｓ４９の処理を実行して、この複写処理（Ｓ６）を終了する。
【０１１２】
この複写処理（Ｓ６）によれば、スキャナ３によって原稿の所定位置においてＱＲコードを読み取った場合には、その読み取ったＱＲコードの情報に基づく画像データが守りカードから読み出され、その読み出された画像データに基づく画像がプリンタ２によって記録用紙に印刷される。これにより、原稿に印刷された画像と同じ画像を印刷することができる。
【０１１３】
また、複写処理（Ｓ６）によって画像を記録用紙に印刷する場合には、記録用紙へのＱＲコードの印刷が省略される。これにより、複写処理（Ｓ６）によって画像が印刷された記録用紙にはＱＲコードが印刷されない。
【０１１４】
なお、本実施形態では、上記の所定位置として、記録用紙の裏面の右下部であって、記録用紙の下端から寸法ａの範囲、かつ、記録用紙の右端から寸法ｂの範囲内（図９（ｂ）の斜線部Ｓで示す範囲内、図９参照）を所定位置とする。なお、記録用紙の他の部分であっても良い。
【０１１５】
上述したように、本発明における多機能周辺装置１によれば、ユーザは、原稿を用意し、その原稿に印刷されているＱＲコードをスキャナ３によって読み取るだけで、原稿に印刷された画像の画像データを取得することができる。
【０１１６】
よって、原稿に印刷された画像の画像データを改めて必要とする場合に、従来のように、ＬＣＤ４１に表示された画像を確認しつつ、メモリカードに記憶されている複数の画像データの中から所望の画像データを探し出すといった手間のかかる作業を行う必要がないので、画像データを容易に取得することができる。
【０１１７】
また、近年では、デジタルカメラの技術向上に伴い高品質の画像が得られることから、画像データのデータ量が増大し、その分、ＬＣＤ４１への画像の表示に時間がかかるところ、本発明における多機能周辺装置１によれば、原稿に印刷された画像の画像データを改めて必要とする場合に、ＬＣＤ４１に画像を表示する必要がないので、画像データを短時間で取得することができる。
【０１１８】
また、本発明における多機能周辺装置１によれば、ユーザは、原稿を用意し、その原稿に印刷されているＱＲコードをスキャナ３によって読み取るだけで、原稿に印刷された画像と同じ画像を印刷することができる。
【０１１９】
よって、焼き増し印刷を行う場合に、従来のような手間のかかる作業を行う必要がないので、焼き増し印刷を容易に行うことができる。
【０１２０】
また、原稿に印刷された画像をコピーして焼き増し印刷を行う場合には、画像を読み取る際に生じる読み取り誤差などにより、明度や色度などの画質が原稿の画像とは異なって焼き増し印刷が行われるところ、本発明における多機能周辺装置１によれば、原稿に印刷された画像の画像データを取得し、その取得した画像データに基づく画像を印刷して焼き増し印刷を行うので、原稿の画像と同じ画質の画像を入手することができる。
【０１２１】
また、本発明における多機能周辺装置１によれば、ＱＲコードは、画像データのファイル名の特定の文字を含む。よって、特定の文字を少なくとも一部に含むファイル名の画像データを一度に取得することができる。従って、ユーザは、特定の文字を含むファイル名の画像データを改めて必要とする場合に、かかる画像データを容易に取得することができる。
【０１２２】
更に、ＱＲコードには、画像データを構成する各画素の画質補正値が含まれているので、原稿に印刷された画像の画質が補正されている場合に、画質の補正値を取得することができる。よって、ユーザは、焼き増し印刷を行う場合に、画質を補正する作業を繰り返し行う必要がないので、原稿の画像と同じ画質の画像を容易に入手することができる。
【０１２３】
また、本発明における多機能周辺装置１によれば、複写処理（Ｓ６）によって画像を記録用紙に印刷する場合に、記録用紙へのＱＲコードの印刷を省略するので、複写処理（Ｓ６）によって画像が印刷された記録用紙にはＱＲコードが印刷されず、ＱＲコードの印刷に要するコストの低減を図ることができる。
【０１２４】
また、本発明における多機能周辺装置１によれば、プリンタ２によってＱＲコードを記録用紙に印刷するので、記録用紙にＱＲコードを記録するための新たな構成を不要とすることができ、装置自体の製造コストの低減を図ることができる。
【０１２５】
更に、記録用紙の表面に画像を印刷する一方、記録用紙の裏面にＱＲコードを印刷するので、記録用紙に印刷された画像上にＱＲコードが印刷されることなく、画像の品質低下を防止することができる。
【０１２６】
なお、本実施形態において、請求項１及び１０に記載の外部記憶手段は、メモリカードが該当し、請求項１から３及び６から１０に記載の記録媒体は、記録用紙が該当する。
【０１２７】
以上、実施形態に基づき本発明を説明したが、本発明は上記実施の形態に何ら限定されるものではなく、本発明の趣旨を逸脱しない範囲内で種々の改良変形が可能であることは容易に推察できるものである。
【０１２８】
例えば、上記実施形態では、図５に示す印刷処理（Ｓ４）において、１の画像を記録用紙に印刷する場合を説明したが、必ずしもこれに限られるものではなく、複数の画像を一度に複数の記録用紙にそれぞれ印刷しても良い。
【０１２９】
即ち、画像データを一時的に記憶するための画像データメモリをＲＡＭ２３に設け、記録用紙に印刷する画像が決定される都度、その画像の画像データを画像データメモリに記憶すると共に、その画像データメモリに記憶されている複数の画像データを一度にプリンタ２に送信し、複数の記録用紙に画像をそれぞれ印刷するように構成しても良い。
【０１３０】
また、この場合に、Ｓ１９の処理において、複数の画像の画像データ毎にそれぞれ対応付けられた１のＱＲコードを作成すると共に、Ｓ２１の処理において、かかる１のＱＲコードを複数の記録用紙のうちの１の記録用紙に記録するように構成することで、複数のＱＲコードを作成し、それら複数のＱＲコードを複数の記録用紙にそれぞれ記録する場合と比較して、ＱＲコードの記録に要するコストの低減を図ることができる。
【０１３１】
また、複数の画像の画像データ毎にそれぞれ対応付けられたＱＲコードを１のＱＲコードとして管理できるので、ユーザは、ＱＲコードが記録された記録用紙を用意し、そのＱＲコードを本発明における多機能周辺装置１によって読み取るだけで、かかる複数の画像の画像データを一度に取得することができる。よって、複数の記録用紙にそれぞれ印刷された複数の画像の画像データを改めて必要とする場合に、複数の画像データを容易に取得することができる。
【０１３２】
また、上記実施形態では、プリンタ２によってＱＲコードを記録用紙に印刷する場合を説明したが、必ずしもこれに限られるものではなく、例えば、プリンタ２に設けられたプリンタ無線通信装置２ａによって、記録用紙に埋め込まれたＩＤタグにＱＲコードを記録すると共に、スキャナ３に設けられたスキャナ無線通信装置３ａによって、記録用紙に埋め込まれたＩＤタグからＱＲコードを読み出すように構成することで、ＱＲコードを記録用紙に印刷する場合と比較して、ＱＲコードの印刷不良や汚れ等により、ＱＲコードが正常に読み取れなくなるといった読み取り不良を防止することができる。
【０１３３】
また、上記実施形態では、図７に示す複写処理（Ｓ６）において、スキャナ３によって読み取ったＱＲコードの情報に基づく画像データをプリンタ２に送信し、記録用紙に画像を印刷する場合を説明したが、必ずしもこれに限られるものではなく、例えば、かかる画像データをモデム３２によって変調し、その変調した画像データをＮＣＵ３１を介して電話網上のファクシミリ装置へ伝送しても良く、或いは、かかる画像データをネットワークＩ／Ｆ３０を介してネットワーク上のコンピュータへ送信しても良い。
【図面の簡単な説明】
【０１３４】
【図１】本発明の一実施形態における多機能周辺装置の外観構成を示す斜視図である。
【図２】プリンタの内部構成を模式的に示す模式図であり、（ａ）は、記録用紙の表面に画像を印刷する様子を、（ｂ）は、記録用紙を反転させる様子を、（ｃ）は、記録用紙の裏面に画像を印刷する様子を、それぞれ示す図である。
【図３】制御部の電気的構成を示すブロック図である。
【図４】メイン処理を示すフローチャートである。
【図５】印刷処理を示すフローチャートである。
【図６】画質補正処理を示すフローチャートである。
【図７】複写処理を示すフローチャートである。
【図８】ＬＣＤに表示される表示内容を説明するための説明図であり、（ａ）及び（ｂ）は、矢印カーソルがＬＣＤに表示された状態を、（ｃ）は、複数の画質パラメータと、それら複数の画質パラメータの各パラメータ値とがＬＣＤに表示された状態を、それぞれ示す図である。
【図９】記録用紙に印刷される印刷内容を説明するための説明図であり、（ａ）は、記録用紙の表面を、（ｂ）は、記録用紙の裏面を、それぞれ示す図である。
【符号の説明】
【０１３５】
１          多機能周辺装置
２          プリンタ（画像印刷手段）
２ａ        プリンタ無線通信装置（無線通信手段の一部）
３          スキャナ（識別情報読取手段）
３ａ        スキャナ無線通信装置（無線通信手段の一部）
１１        搬送ローラ（画像印刷手段の一部、両面印刷手段の一部）
１２        印刷ヘッド（画像印刷手段の一部、両面印刷手段の一部）
１３        反転ローラ（画像印刷手段の一部、両面印刷手段の一部）
１３ａ      ガイド（画像印刷手段の一部、両面印刷手段の一部）
Ｓ６        画像複写手段
Ｓ１１      画像データ受信手段、画像データ受信工程
Ｓ１９      識別情報取得手段、識別情報取得工程
Ｓ２０      画像印刷工程
Ｓ２１      識別情報記録手段、識別情報記録工程
Ｓ４２      識別情報読取工程
Ｓ４６      画像データ取得手段、画像データ取得工程
【図１】
2008166919.tif 000003
【図２】
2008166919.tif 000004
【図３】
2008166919.tif 000005
【図４】
2008166919.tif 000006
【図５】
2008166919.tif 000007
【図６】
2008166919.tif 000008
【図７】
2008166919.tif 000009
【図８】
2008166919.tif 000010
【図９】
2008166919.tif 000011